(57)【要約】【課題】既存の物干し台に取り付けることができ、しかも転倒防止効果に優れた物干し台用転倒防止器具を提供する。【解決手段】物干し台８の転倒を防止するための物干し台用転倒防止器具１であって、物干し台８の竿部82に着脱自在に装着される固定具２と、この固定具２に一端31が接続されて、前記竿部82に前記固定具２が装着された状態で斜め下方に向けて延びるとともに、物干し台８を置く設置面Ｇに他端32が達する補強棒３と、を備えており、全長が５０〜１５０ｃｍである物干し台用転倒防止器具１とした。【選択図】図１
0003217659.tif 000002
【実用新案登録請求の範囲】
【請求項１】
物干し台の転倒を防止するための物干し台用転倒防止器具であって、
物干し台の竿部に着脱自在に装着される固定具と、
この固定具に一端が接続されて、前記竿部に前記固定具が装着された状態で斜め下方に向けて延びるとともに物干し台を置く設置面に他端が達する補強棒と、を備えており、
全長が５０〜１５０ｃｍである
物干し台用転倒防止器具。
【請求項２】
物干し台の竿部に固定具を装着した状態において竿部と補強棒の角度が３０〜６０度になるように固定具に補強棒が接続されている、
請求項１記載の物干し台用転倒防止器具。
【請求項３】
請求項１又は２に記載の物干し台用転倒防止器具が二個セットとなっているとともに、各物干し台用転倒防止器具の補強棒同士を連結する補強棒連結具を備えた、
物干し台用転倒防止器具のセット品。
【考案の詳細な説明】
【技術分野】
【０００１】
本考案は、既存の物干し台に取り付けて物干し台の転倒防止を図る、物干し台用転倒防止器具及び物干し台用転倒防止器具のセット品に関する。
【背景技術】
【０００２】
物干し台は、通常、設置面（地面やコンクリート面など）に置かれる基台部と、この基台部から上方に延びる竿部と、この竿部から横方向に延びて物干し竿が掛けられる竿掛け部と、を有する。基台部はコンクリートなどの重量物で構成されており、この基台部の重さによって竿部と竿掛け部を支えて物干し台の転倒を防止している。竿部と竿掛け部は、金属パイプなどをＬ字状に曲げ加工して一体的に形成されている場合がある。
【０００３】
このような物干し台は広く使用されている。ところが、物干し竿に布団や毛布などの洗濯物をかけて屋外で干しているような場合、この洗濯物に強風が当たり、物干し台が転倒することがあった。そのため、何らかの転倒防止手段が求められていた。
【考案の概要】
【考案が解決しようとする課題】
【０００４】
本考案は、既存の物干し台に取り付けることができ、しかも転倒防止効果に優れた物干し台用転倒防止器具などを提供することを目的とする。
【課題を解決するための手段】
【０００５】
上記課題を解決するために、本考案の物干し台用転倒防止器具は、物干し台の竿部に着脱自在に装着される固定具と、この固定具に一端が接続されて、前記竿部に前記固定具が装着された状態で斜め下方に向けて延びるとともに物干し台を置く設置面に他端が達する補強棒と、を備えており、全長が５０〜１５０ｃｍの構成とした。
【０００６】
この物干し台用転倒防止器具は、全長が５０〜１５０ｃｍと長尺であり、物干し台の竿部と物干し台を置く設置面との間に斜めに取り付けられるため、転倒防止効果に優れる。また、物干し台の竿部に固定具を装着することで簡単に取り付けることができる。物干し台用転倒防止器具の全長は、より好ましくは６０〜１００ｃｍである。
【０００７】
このとき、物干し台の竿部に固定具を装着した状態において竿部と補強棒の角度が３０〜６０度になるように固定具に補強棒が接続されている構成とすることができる。
【０００８】
この物干し台用転倒防止器具は、竿部と補強棒の角度が３０〜６０度になるように固定具に補強棒が接続されているため、より転倒防止効果に優れたものとなる。竿部と補強棒の角度は、より好ましくは４０〜５０度である。
【０００９】
これら物干し台用転倒防止器具が二個セットとなっているとともに、各物干し台用転倒防止器具の補強棒同士を連結する補強棒連結具を備えた、物干し台用転倒防止器具のセット品とすることができる。
【００１０】
この物干し台用転倒防止器具のセット品は、物干し台用転倒防止器具が二個セットとなっており、より転倒防止効果に優れたものとなる。また、二個セットの物干し台用転倒防止器具の補強棒同士を連結する補強棒連結具を備えることにより、より一層、転倒防止効果に優れたものとなる。補強棒連結具は、各転倒防止器具の補強棒の長手方向中央部より下側を連結することが、転倒防止効果の面から好ましい。
【考案の効果】
【００１１】
本考案により、既存の物干し台に取り付けることができ、しかも転倒防止効果に優れた物干し台用転倒防止器具などを提供することができる。
【図面の簡単な説明】
【００１２】
【図１】物干し台用転倒防止器具を物干し台に取り付けた状態を例示する右側面図である。
【図２】図１の物干し台用転倒防止器具の一部を表示した分解斜視図である。
【図３】物干し台用転倒防止器具のセット品の使用例を示す斜視図である。
【図４】補強棒連結具を例示する正面図である。
【考案を実施するための形態】
【００１３】
以下、図を用いて物干し台用転倒防止器具（以降、転倒防止器具と称する場合がある）と物干し台用転倒防止器具のセット品（以降、転倒防止器具のセット品と称する場合がある）を例示説明する。
まず最初に、転倒防止器具を例示説明する。転倒防止器具は固定具と補強棒を備えており、全長が５０〜１５０ｃｍである。
【００１４】
以下の実施形態はあくまで本考案を例示説明するものであって、本考案は、以下の具体的な実施形態に限定されるものではない。
【００１５】
１．転倒防止器具
［固定具］
固定具２は、物干し台８の竿部82に着脱自在に装着される。また、固定具２には、後述する補強棒３の一端31が接続される。
【００１６】
本実施形態では、固定具２は、図２に例示するように、物干し台８の竿部82を収容する縦割り円筒状の膨出部210を備えた受け部材21と、膨出部210に収容された竿部82を受け部材21側とは反対側から押さえ込むプレート状の押さえ部材22と、受け部材21と押さえ部材22の間に竿部82を挟み込んで固定具２を竿部82に装着させる装着手段23と、で構成されるものを用いることができる。本実施形態では、押さえ部材22には、補強棒３側に、受け部材21側に向けてライン状に突出する肉厚部221が設けてある。
【００１７】
本実施形態では、装着手段として、固定ネジ23を用いており、受け部材21に設けたネジ螺合部211に、押さえ部材22に設けたネジ貫通穴220を貫通させた固定ネジ23を螺合させており、固定ネジ23を締めることで受け部材21と押さえ部材22を近接させて竿部82に固定具２を装着する構造としてある。このような構造により、固定具２を物干し台８の竿部82に装着する位置（高さ）は調節自在となっている。
【００１８】
［補強棒］  
補強棒３は、図１に例示するように、固定具２に一端31が接続されて、物干し台８の竿部82に固定具２が装着された状態で斜め下方に向けて延びる。そして、物干し台８の竿部82に固定具２が装着された状態で、物干し台８を置く設置面Ｇに他端32が達するものである。ここで、「達する」には、直接的に達する場合のほか、間接的に達する（ゴムキャップなどの他の部材を介在させる）場合も含む。
【００１９】
本実施形態では、補強棒３として長尺状の金属パイプを用いており、その一端31がプレスされて扁平状に成型されている。そして、補強棒３の一端31（扁平状に成型）が固定具２に接続されている。本実施形態では、物干し台８の竿部82に固定具２を装着した状態において竿部82と補強棒３の角度θ（図１参照）が３０〜６０度になるように固定具２に補強棒３が接続されている。この角度が変化しないように補強棒３の一端31を固定具２に溶接などで固定することが好ましい。
【００２０】
そして、図１に例示するように、補強棒３は物干し台８の竿部82に固定具２が装着された状態で斜め下方に向けて延びるとともに物干し台８を置く設置面Ｇに他端32が達する。実際上は、物干し台８を置く設置面Ｇに補強棒３の他端32が達するように、物干し台８の竿部82に固定具２を装着する位置（高さ）を調節する。
【００２１】
転倒防止器具１は全長Ｌが５０〜１５０ｃｍであるが、補強棒３の長さが大半を占める。
【００２２】
２．転倒防止器具のセット品
次に転倒防止器具のセット品を例示説明する。転倒防止器具のセット品は前述した物干し台用転倒防止器具１が二個セットとなっているとともに、各転倒防止器具１の補強棒３同士を連結する補強棒連結具５を備えたものである。
【００２３】
［補強棒連結具］
補強棒連結具５は、各転倒防止器具１の補強棒３同士を連結するものである。本実施形態では、図４に例示するように、二本の金属棒51をフレキシブルに連結させて構成した補強棒連結具５を用いてある。各金属棒51には、一端に連結輪510、他端にフック片511が設けてあり、各金属棒51の連結輪510同士を係合させて金属棒51同士をフレキシブルに連結してある。補強棒連結具５の両端にはフック片511が位置することとなる。そして、図３に例示するように、このフック片511を、各転倒防止器具１の補強棒３に設けたフック受け33に係止させて、各転倒防止器具１の補強棒３同士が連結される。フック受け33は、補強棒３の長手方向中央部より下側に設けてある。
【００２４】
そして、洗濯物や布団などを干す場合には、通常、物干し台８を二台用いることとなる。この場合、転倒防止器具１のセット品を二セット用いて、二台の物干し台８それぞれに一セットずつ転倒防止器具１のセット品を取り付けることができる。その際、図３に例示するように、二個セットの物干し台用転倒防止器具１が、物干し竿９の先端方向（左右両端に存在）に向かって上面視で八の字状に広がるように、各物干し台用転倒防止器具１を物干し台に取り付けることが好ましい。
【００２５】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【００２６】
例えば、上記実施形態において、特定構造の固定具を例示したがこれに限定されない。また、上記実施形態において、特定構造の補強棒連結具を例示したがこれに限定されず、例えば、チェーンや紐状体などを用いてもよい。
【符号の説明】
【００２７】
１  物干し台用転倒防止器具（転倒防止器具）
Ｌ  全長
２  固定具
21  受け部材
210  膨出部
211  ネジ螺合部
212  竿部側端縁
22  押さえ部材
220  ネジ貫通穴
221  肉厚部
23  装着手段（固定ネジ）
３  補強棒
31  一端
32  他端
33  フック受け
５  補強棒連結具
51  金属棒
510  連結輪
511  フック片
８  物干し台
81  基台部
82  竿部
83  竿掛け部
９  物干し竿
Ｇ  設置面
【図１】
0003217659.tif 000003
【図２】
0003217659.tif 000004
【図３】
0003217659.tif 000005
【図４】
0003217659.tif 000006